(57)【要約】【課題】  折り畳み式コンピュータカバーの提供。【解決手段】  第１板体、第２板体、第３板体、第４板体、及び第５板体を具え、第５板体の前端が折り畳み可能に第４板体の後端に接続され、第４板体の前端が折り畳み可能に第３板体の後端に接続され、これから類推されるようにして各板体の前後が順に直列に接続され、折り畳み時にポータブルコンピュータの外部を被覆可能で、別に開いて第１板体でポータブルコンピュータの背部を支持し並びに第３板体内面に凸設されたラック式係止ブロックでポータブルコンピュータの下方を係止すれば起立状態を形成でき、並びに選択的に異なるラック位置を係止することで、ポータブルコンピュータに異なる視角を達成させて展示及び操作に便利とすることができる。【選択図】        図４
2006024178.tif 000002
【特許請求の範囲】
【請求項１】
第１板体、第２板体、第３板体、第４板体、第５板体を具え、
該第１板体の前端の二側に内収容部が設けられ、この二つの内収容部は第１板体の内面の側端より内向きに凸設され、並びにポータブルコンピュータを収容し、該第１板体の別端に後端があり、並びにその背面に少なくとも一つの係合手段が設けられ、
該第２板体の前端は折り畳み可能に上述の第１板体の後端に接続され、且つこの第２板体に後端２２２が設けられ、
該第３板体は、その前端が折り畳み可能に上述の第２板体の後端に接続され、且つ第３板体は別に後端を具え、並びにその内面に係止ブロックが凸設され、
該第４板体は、その前端が折り畳み可能に第３板体の後端に接続され、且つこの第４板体は後端を具え、
該第５板体は、その前端が折り畳み可能に第４板体の後端に接続され、且つ第５板体の内面に少なくとも一つの係止手段が設けられ、それは第１板体の背面の係合手段に対応し係合可能であることを特徴とする、折り畳み式コンピュータカバー。
【請求項２】
請求項１記載の折り畳み式コンピュータカバーにおいて、第１板体の少なくとも一つの係合手段と、第５板体の少なくとも一つの係止手段が雄雌スナップボタンとされたことを特徴とする、折り畳み式コンピュータカバー。
【請求項３】
請求項１記載の折り畳み式コンピュータカバーにおいて、第１板体の各内収容部の側辺に枢設溝が開設され、且つこの枢設溝に内向きに開いた開口が設けられ、ポータブルコンピュータの二側面にそれぞれ枢設塊が凸設され、枢設塊がこの開口を通り枢設溝内に枢設されることを特徴とする、折り畳み式コンピュータカバー。
【請求項４】
請求項１記載の折り畳み式コンピュータカバーにおいて、第１板体が中折線を具え、該中折線が第１板体の前端と後端の間に介在することを特徴とする、折り畳み式コンピュータカバー。
【請求項５】
請求項１記載の折り畳み式コンピュータカバーにおいて、第３板体の係止ブロックが少なくとも二つの係止條を具えたことを特徴とする、折り畳み式コンピュータカバー。
【請求項６】
請求項１記載の折り畳み式コンピュータカバーにおいて、第３板体の内面にキーボードが設けられたことを特徴とする、折り畳み式コンピュータカバー。
【請求項７】
請求項１記載の折り畳み式コンピュータカバーにおいて、第５板体の内面にタッチパネルが設けられたことを特徴とする、折り畳み式コンピュータカバー。
【請求項８】
請求項１記載の折り畳み式コンピュータカバーにおいて、各板体が内部の硬板の外面を軟質カバーで被覆して形成されたことを特徴とする、折り畳み式コンピュータカバー。
【請求項９】
請求項８記載の折り畳み式コンピュータカバーにおいて、内部の硬板がプラスチックで形成され、軟質カバーが皮革で形成されたことを特徴とする、折り畳み式コンピュータカバー。
【発明の詳細な説明】
【技術分野】
【０００１】
本発明は一種の折り畳み式コンピュータカバーに係り、特にポータブルコンピュータに適用される多機能コンピュータカバーであり、このポータブルコンピュータはタブレットＰＣ、ウェブパッド（ｗｅｂ  ｐａｄ）、ＰＡＤを包含する。
【背景技術】
【０００２】
現在市販されているタブレットＰＣの主要な訴求は、手書き式タッチスクリーンと携帯性にあり、実際上、このような装置の手書き認識ソフトは広告宣伝されているようなものではなく、長時間書き込む場合は、人々は往々にしてキーボードを外接することを選択するものである。
【０００３】
周知のタブレットＰＣとキーボードは差し込み方式で結合されるか、或いは標準赤外線技術で、キーボードとタブレットＰＣが接続される。使用上、タブレットＰＣはキーボードとの間に良好な視角を形成させることができず、差し込み後の角度の制限されるか或いは別に一組の支持機構が組み合わされて視角が調整される。携帯性と保護の機能を達成するため、現在、タブレットＰＣはいずれも専用の皮ケース（ショルダーバッグ）を有し、並びに上述の周辺アクセサリもそれに収容される。しかし、毎回挿入と取り出しの動作により使用と収納の目的を達成しなければならず、また、毎回挿入と取り出しの動作を行なう際に、タブレットＰＣが落下する危険があり、理想的ではない。
【０００４】
以上から周知の技術のタブレットＰＣとキーボードの間には視角調整の機能がなく、且つ周知のタブレットＰＣ専用ケース構造は不便と問題が存在するため、改善が求められている。
【発明の開示】
【発明が解決しようとする課題】
【０００５】
本発明は上述の周知の欠点を改善する折り畳み式コンピュータカバーを提供するものである。
【０００６】
本発明は一種の折り畳み式コンピュータカバーを提供することを目的とし、それは、保護カバー内の五枚の板体間の折り畳み性を利用し、開いて使用する時、核板体が外向き反対方向に開き、並びにタブレットＰＣ下方を第３板体のラック式係止ブロックの一つの係止條に係止して起立状態を形成し、選択的に異なる係止條位置に係止することで、タブレットＰＣに異なる視角を形成させられ、展示と操作の便利性を増すことができるものとする。
【０００７】
本発明の折り畳み式コンピュータカバーは、第１板体、第２板体、第３板体、第４板体、及び第５板体を具え、第５板体の前端が折り畳み可能に第４板体の後端に接続され、第４板体の前端が折り畳み可能に第３板体の後端に接続され、これから類推されるようにして各板体の前後が順に直列に接続され、５個の板体が内部硬板の外面を軟質カバーで被覆してなり、そのうち、内部硬板はプラスチックで形成されるか或いは鉄、アルミニウム、或いはマグネシウム、或いは硬質紙板、或いはその他の硬質の板で形成され、且つ軟質カバーは皮革で形成されるか或いはプラスチック布、ゴム布、布、或いはその他の軟質材料で形成され、且つ第５板体の内面に少なくとも一つの係止手段が設けられて第１板体背面に設けられた少なくとも一つの係合手段に対応し、収納と保護を完成し且つ携帯に便利可能とされる。これらの係止手段と係合手段は雄雌型スナップボタン或いはその他のスナップリング、粘着帯或いはクリップとされるか、或いはその他の係合構造とされうる。
【０００８】
折り畳まれた時にポータブルコンピュータの外部を被覆し、また開かれる時、第１板体でポータブルコンピュータの背部を支持し並びに第３板体内面に凸設されたラック式係止ブロックでポータブルコンピュータの下方を係止すれば起立状態を形成でき、並びに選択的に異なるラック位置を係止することで、ポータブルコンピュータに異なる視角を達成させて展示及び操作に便利とすることができる。
【課題を解決するための手段】
【０００９】
請求項１の発明は、第１板体、第２板体、第３板体、第４板体、第５板体を具え、
該第１板体の前端の二側に内収容部が設けられ、この二つの内収容部は第１板体の内面の側端より内向きに凸設され、並びにポータブルコンピュータを収容し、該第１板体の別端に後端があり、並びにその背面に少なくとも一つの係合手段が設けられ、
該第２板体の前端は折り畳み可能に上述の第１板体の後端に接続され、且つこの第２板体に後端２２２が設けられ、
該第３板体は、その前端が折り畳み可能に上述の第２板体の後端に接続され、且つ第３板体は別に後端を具え、並びにその内面に係止ブロックが凸設され、
該第４板体は、その前端が折り畳み可能に第３板体の後端に接続され、且つこの第４板体は後端を具え、
該第５板体は、その前端が折り畳み可能に第４板体の後端に接続され、且つ第５板体の内面に少なくとも一つの係止手段が設けられ、それは第１板体の背面の係合手段に対応し係合可能であることを特徴とする、折り畳み式コンピュータカバーとしている。
請求項２の発明は、請求項１記載の折り畳み式コンピュータカバーにおいて、第１板体の少なくとも一つの係合手段と、第５板体の少なくとも一つの係止手段が雄雌スナップボタンとされたことを特徴とする、折り畳み式コンピュータカバーとしている。
請求項３の発明は、請求項１記載の折り畳み式コンピュータカバーにおいて、第１板体の各内収容部の側辺に枢設溝が開設され、且つこの枢設溝に内向きに開いた開口が設けられ、ポータブルコンピュータの二側面にそれぞれ枢設塊が凸設され、枢設塊がこの開口を通り枢設溝内に枢設されることを特徴とする、折り畳み式コンピュータカバーとしている。
請求項４の発明は、請求項１記載の折り畳み式コンピュータカバーにおいて、第１板体が中折線を具え、該中折線が第１板体の前端と後端の間に介在することを特徴とする、折り畳み式コンピュータカバーとしている。
請求項５の発明は、請求項１記載の折り畳み式コンピュータカバーにおいて、第３板体の係止ブロックが少なくとも二つの係止條を具えたことを特徴とする、折り畳み式コンピュータカバーとしている。
請求項６の発明は、請求項１記載の折り畳み式コンピュータカバーにおいて、第３板体の内面にキーボードが設けられたことを特徴とする、折り畳み式コンピュータカバーとしている。
請求項７の発明は、請求項１記載の折り畳み式コンピュータカバーにおいて、第５板体の内面にタッチパネルが設けられたことを特徴とする、折り畳み式コンピュータカバーとしている。
請求項８の発明は、請求項１記載の折り畳み式コンピュータカバーにおいて、各板体が内部の硬板の外面を軟質カバーで被覆して形成されたことを特徴とする、折り畳み式コンピュータカバーとしている。
請求項９の発明は、請求項８記載の折り畳み式コンピュータカバーにおいて、内部の硬板がプラスチックで形成され、軟質カバーが皮革で形成されたことを特徴とする、折り畳み式コンピュータカバーとしている。
【発明の効果】
【００１０】
本発明は少なくとも以下の長所を有している。
１．タブレットＰＣのラック式係止ブロック上の係止位置により視角を調整できる。
２．タブレットＰＣの落下の危険を減らせる。
３．タブレットＰＣの操作と収納に便利である。
４．タブレットＰＣの展示時の便利性と安全性を増せる。
５．使用者の使用時の便利性を増せる。
【００１１】
総合すると、本発明の折り畳み式コンピュータカバーは進歩性、新規性、及び産業上の利用性を有しており、特許の要件を具備している。
【発明を実施するための最良の形態】
【００１２】
図１、２、３及び図４に示されるように、本発明の折り畳み式コンピュータカバーは、５個の板体２１、２２、２３、２４、２５がそれぞれその内部の硬板２９０外面が軟質カバー２９１で被覆されてなり（図４）、例えば、本実施例中、この内部の硬板２９０はプラスチックで形成され、軟質カバー２９１は皮革で形成されて質感が増されている。
【００１３】
本実施例中、第１板体２１の前端２１１の二側に内収容部２１３が設けられ、この二つの内収容部２１３は第１板体２１の内面２０１の側端より内向きに凸設され、並びにポータブルコンピュータを収容し、本実施例ではポータブルコンピュータはタブレットＰＣ５とされている。このほか、第１板体２１の別端に後端２１２があり、並びにその背面２０２に二つの係合手段２１６が設けられている。第１板体２１の中段に更に中折線２１０が凹設され、それは前端２１１と後端２１２の間に介在する。第１板体２１はその中折線２１０で折り曲げ可能で、これによりタブレットＰＣ５の下方が第３板体２３の係止ブロック２３４上に係止されて起立状態を呈する（図１の如し）。
【００１４】
また、第１板体２１の各内収容部２１３の側辺に枢設溝２１５が開設され、且つこの枢設溝２１５に内向きに開いた開口２１４が設けられ、また本例のタブレットＰＣ５の二側面にそれぞれ枢設塊５１が凸設され、枢設塊５１がこの開口２１４を通り枢設溝２１５内に枢設され、これによりタブレットＰＣ５がその二側の枢設塊５１を回転軸として第１板体２１に対して回転可能とされる。
【００１５】
本実施例中、第２板体２２の前端２２１は折り畳み可能に上述の第１板体２１の後端２１２に接続され、且つこの第２板体２２に後端２２２が設けられている。
【００１６】
本実施例中の第３板体２３は、その前端２３１が折り畳み可能に上述の第２板体２２の後端２２２に接続され、且つ第３板体２３は別に後端２３２を具え、並びにその内面２３３に係止ブロック２３４が凸設され、この係止ブロック２３４が少なくとも二つの係止條を具えて、ラック式の係止ブロック２３４が形成され、多段式にタブレットＰＣ５を係止してその視角を調整できる。本実施例中、係止ブロック２３４の材料はゴム或いはプラスチックとされてタブレットＰＣ５の摩損が防止されている。そのうち、この第３板体２３の内面２３３に更にキーボード２３５或いはタッチパネル、或いはその他の入力装置が設けられ得る。
【００１７】
本実施例は更に第４板体２４を具え、その前端２４１は折り畳み可能に第３板体２３の後端２３２に接続され、且つこの第４板体２４は後端２４２を具えている。
第５板体２５は、その前端２５１が折り畳み可能に第４板体２４の後端２４２に接続され、且つ第５板体２５の内面２５２に二つの係止手段２５３が設けられ、それは第１板体２１の背面２０２の二つの係合手段２１６に対応し係合可能で、収納保護と携帯性を達成する（図２の如し）。そのうち、これらの係止手段２５３と係合手段２１６はそれぞれ雄雌スナップリングとされる。このほか、この第５板体５の内面２５２に更にタッチパネル２５４或いはその他の入力装置を設置可能である。
【００１８】
使用者が開いて使用する時、上述の各板体が外向き反対方向に展開され、このタブレットＰＣ５の下方が第３板体２３のラック式係止ブロック２３４の一つの係止條に係止され、起立状態を係止し、並びに選択的に異なる係止條位置に係止することで、カバーが異なる支持角度を形成し、これによりタブレットＰＣ５が異なる視角を達成し（図３）、展示及び操作上の便利性が増し、またカバーと一体にされたことで携帯性が増される。
【図面の簡単な説明】
【００１９】
【図１】本発明の実施例の立体図である。
【図２】本発明の実施例の折り畳み時の側面図である。
【図３】本発明の実施例の側面図である。
【図４】本発明の実施例のシステム構造図である。
【符号の説明】
【００２０】
２０１  内面        ２０２  背面        ２１  第１板体
２１０  中折線      ２１１  前端        ２１２  後端
２１３  内収容部    ２１４  開口        ２１５  枢設溝
２１６  係合手段    ２２  第２板体      ２２１  前端
２２２  後端        ２３  第３板体      ２３１  前端
２３２  後端        ２３３  内面        ２３４  係止ブロック
２３５  キーボード  ２４  第４板体      ２４１  前端
２４２  後端        ２５  第５板体      ２５１  前端
２５２  内面        ２５３  係止手段    ２５４  タッチパネル
２９０  硬板        ２９１  軟質カバー  ５  タブレットＰＣ
５１  枢設塊
【図１】
2006024178.tif 000003
【図２】
2006024178.tif 000004
【図３】
2006024178.tif 000005
【図４】
2006024178.tif 000006